(57)【要約】      （修正有）【課題】使用済みのケーブルを巻き取り、束にして縛った後、巻き取り機から外して収納袋に入れ、次回の使用に備えることのできる簡便なケーブル巻き取り装置を提供する。【解決手段】円筒型に配置された複数本の巻き取り棒４にケーブルを巻き取っていく折、ケーブルがはみ出ないように、巻き取り棒の両端には側面保持棒と脱落防止棒１２が取り付けてあり、ケーブルを巻き終わった後は、脱落防止棒を倒して、ケーブルの束を取り出すようにする。この折、脱落防止棒１２を連結ピン１３を軸として折り曲げることで、巻き取り棒４の片側を少し内側に動かして円筒形から若干円錐形になるようにしておく。【選択図】図４
0003164012.tif 000002
【実用新案登録請求の範囲】
【請求項１】
電気工事用のケーブル等を巻き取り、束にする装置で、回転中心の約３４φのパイプの主軸の端には直径４０ｃｍほどの、中心に穴の開いた側面円盤が主軸に対して垂直に、側面円盤の中心を主軸中心に合わせて取り付けてあり、その側面円盤の周辺４〜６箇所に側面円盤に対して垂直に、つまり主軸に対して平行に長さ約２０ｃｍ、幅約６ｃｍ、高さ約３ｃｍの断面がコの字型のケーブル巻き取り棒がそれぞれ固定ピンで取り付けてあり、巻き取り棒総体は、架空の円柱に沿っているような配置になっていて、主軸と共に回転できるようになっており、さらに側面円盤の端から側面円盤と同一平面上に四方向に長さ２０ｃｍほどのケーブル側面保持棒が取り付けてあり、その先端同士は細い金属丸棒でできた直径８０ｃｍほどの連結環で繋いであり、また主軸には主軸に沿って自由に動かせる約６０φ、長さ１０ｃｍほどの主軸スリーブが装着してあり、その主軸スリーブと側面円盤の間には長さ２０ｃｍほどのバネが主軸に外接するように嵌めてあり、主軸スリーブからは傘の骨のように放射状に、ケーブル巻き取り棒と同じ本数の４〜６本の長さ約１７ｃｍ、幅約４ｃｍ、高さ約２ｃｍの断面がコの字型の連結棒が取り付けてあり、それぞれの連結棒の先には長さ約２０ｃｍ、幅約５ｃｍ、高さ約２．５ｃｍの断面がコの字型のケーブル脱落防止棒が連結棒の端を抱きかかえるように連結ピンで一直線に結合されており、その脱落防止棒のうちの一本はケーブル巻き取り棒総体を回転させるためのハンドルが取り付けてあり、前述の各巻き取り棒の先端は連結ピンの位置から３ｃｍほど外側の位置で脱落防止棒に屈曲ピンで繋いであり、ケーブルを巻き取った後、ケーブルの束をこの装置から取り出すために、脱落防止棒を連結ピンを軸として折り曲げて巻き取り棒の延長線上に持ってくると、先ほどの連結棒と連結ピンと屈曲ピンの位置関係から、主軸スリーブは若干移動して、巻き取り棒の先端は３ｃｍほど主軸側に入り込み、一直線になった巻き取り棒と脱落防止棒は架空の円錐に沿う形となり、したがってケーブルの束が取り出し易くなり、かつ回転中心のパイプの主軸は、心棒を中心にして自由に回転できるようにしてあることを特徴とするケーブル巻き取り装置。
【請求項２】
約３０φのパイプを折り曲げて作った地面に置くスタンドの地表面から５０ｃｍほどの高さの所に、水平に保持された約２５φ、長さ約３０ｃｍの金属製の丸棒を回転中心の主軸の心棒として使用することを特徴とする請求項１記載のケーブル巻き取り装置。
【請求項３】
電柱の地表から１〜１．５ｍの高さの所に電柱を抱くように取り付ける、高さ約２０ｃｍ、幅約１５ｃｍの金具で、電柱に接触する面は、電柱に沿うように湾曲しており、その金具の中央部分に約２５φ、長さ約３０ｃｍの金属製の丸棒が水平にしっかりと取り付けてあり、その丸棒を回転中心の主軸の心棒として使用することを特徴とする請求項１記載のケーブル巻き取り装置。
【考案の詳細な説明】
【技術分野】
【０００１】  使用済みのケーブル等を巻き取り、結束する装置に関する。
【背景技術】
【０００２】  電気工事現場等で本体工事中にバイパス用に使用した仮設の長さ２０〜３０ｍの使用済みのケーブル等を収納するには、通常手で巻いて束にし、紐で縛って収納袋に入れなければならなかった。しかしケーブルが泥にまみれた場合や雪の中での作業は容易ではなく、腰を痛めてしまうことがあった。【０００３】  また回転用ハンドルの付いたケーブル巻き取り機はあったが、巻き取ったケーブルを巻き取り機から簡単に取り外せるようになってはいなかった。
【考案の開示】
【考案が解決しようとする課題】
【０００４】  使用済みのケーブルを巻き取り、束に結束した後、巻き取り機から外して収納袋に入れ、次回の使用に備える簡便な方法が求められていた。
【課題を解決するための手段】
【０００５】  本考案は上記問題に鑑みてなされたものであり、円筒型に配置された複数本の巻き取り棒にケーブルを巻き取っていく折、ケーブルがはみ出ないように、巻き取り棒の両端には側面保持棒と脱落防止棒が取り付けてあり、ケーブルを巻き終わった後は、脱落防止棒を倒して、ケーブルの束を取り出すが、この折、巻き取り棒の片側が少し内側に動いて円筒形から若干円錐形になるようにしておくとケーブルの束は取り出し易い。
【考案の効果】
【０００６】  上記考案の装置によれば、使用済みのケーブルを楽に巻き取れ、巻き終わった後は簡単に巻き取り装置から取り外して収納袋に入れることができる。
【考案を実施するための最良の形態】
【０００７】  まず巻き取り装置の回転中心の３４φのパイプの主軸の端には直径４０ｃｍの中心に穴の開いた側面円盤が主軸に対して垂直に、側面円盤の中心を主軸中心に合わせて取り付けてあり、その側面円盤の周辺４〜６箇所から側面円盤に対して垂直に、つまり主軸に対して平行に長さ２０ｃｍのケーブル巻取り用の断面がコの字型の棒をそれぞれ固定ピンで取り付ける。巻き取り棒総体は架空の円柱に沿っているような配置になっていて、主軸と共に回転できるようにしておく。【０００８】  また主軸には主軸に沿って自由に移動できる長さ１０ｃｍ、６０φの主軸スリーブを装着しておき、その主軸スリーブと側面円盤の間には主軸に外接するように嵌めてある長さ２０ｃｍのバネがセットしてあり、主軸スリーブにはストッパーネジが取り付けてあり、一定位置に固定できるようにしてある。【０００９】  主軸スリーブからは傘の骨のように放射状に、ケーブル巻き取り棒と同じ本数の４〜６本の長さ１７ｃｍ、幅４ｃｍ、高さ２ｃｍの断面がコの字型の連結棒を取り付けておく。それぞれの連結棒の先には長さ２０ｃｍ、幅５ｃｍ、高さ２．５ｃｍの断面がコの字型のケーブル脱落防止棒を連結棒の端を抱きかかえるように連結ピンで一直線に結合させておく。その脱落防止棒のうちの一本には巻き取り棒総体を回転させるためのハンドルを取り付けておく。【００１０】  前述の各巻き取り棒の先端は連結ピンの位置から３ｃｍ外側の脱落防止棒に屈曲ピンで繋いでおく。このとき巻き取り棒の先端部３ｃｍはコの字型ではなく平行板の形にしておく。ケーブルを巻き取った後、ケーブルの束をこの装置から取り出すために、脱落防止棒を連結ピンを軸として折り曲げて巻き取り棒の延長線上に持ってくると、先ほどの連結棒と連結ピンと屈曲ピンの位置関係から、主軸スリーブは若干移動して、巻き取り棒の先端は３ｃｍほど主軸側に入り込む。従って巻き取り棒と脱落防止棒の総体は架空の円錐に沿う形となり、ケーブルの束が取り出し易くなる。【００１１】  さらに回転中心のパイプの主軸は、スタンドで水平に保持された心棒に差し込んで空中に浮かせ、自由に回転できるようにしてあると便利である。
【実施例１】
【００１２】  本考案のケーブル巻取り装置を図面に基づいて説明すると、図１、図２、図３はスタンド１に保持されているケーブル巻取り装置の、それぞれ正面図、背面図、側面図を表しており、回転中心の３４φのパイプの主軸２の端には直径４０ｃｍの側面円盤３が主軸２に対して垂直に、側面円盤３の中心を主軸２の中心に合わせて取り付けてある。【００１３】  側面円盤３の周辺５箇所から側面円盤３に対して垂直に長さ２０ｃｍ、幅６ｃｍ、高さ３ｃｍの断面がコの字型のケーブル巻き取り棒４が側面円盤３の周辺に固定してある留め金具５に固定ピン６で取り付けてある。図４に部分詳細図が斜視図で示してある。ケーブル巻き取り棒４は固定ピン６を軸にして少し動くことができる。これら５本のケーブル巻き取り棒４は主軸２に対して平行で、架空の円筒形を形成していると考えてよい。【００１４】  側面円盤３の端から側面円盤と同一平面上の四方向に２０ｃｍの長さのケーブル側面保持棒７が取り付けてあり、その先端同士は細い金属丸棒でできた直径８０ｃｍの連結環８で繋いである。【００１５】  主軸２には主軸に沿って自由に動ける６０φ、長さ１０ｃｍの主軸スリーブ９が装着してあり、主軸スリーブ９と側面円盤３の間にはバネ１０が主軸２に外接するように嵌めてあり、主軸スリーブに加わる力を吸収するようにしてある。【００１６】  主軸スリーブからは傘の骨のように放射状に、ケーブル巻き取り用の棒と同じ本数の５本の長さ１７ｃｍ、幅４ｃｍ、高さ２ｃｍで断面がコの字型の連結棒１１が取り付けてあり、それぞれの連結棒の先には長さ２０ｃｍ、幅５ｃｍ、高さ２．５ｃｍで断面がコの字型のケーブル脱落防止棒１２が連結棒１１の端を抱きかかえるように連結ピン１３で一直線に結合されており、その脱落防止棒１２のうちの一本には巻き取り棒総体を回転させるためのハンドル１４が取り付けてある。【００１７】  巻き取り棒４の先端は連結ピン１３の位置から３ｃｍほど外側の脱落防止棒１２に屈曲ピン１５で繋いである。実際の使用に当たり、ケーブルを巻き取った後、ケーブルの束をこの装置から取り出すために、脱落防止棒１２を連結ピン１３を軸として折り曲げて巻き取り棒４の延長線上に持ってくると、先ほどの連結棒１１と連結ピン１３と屈曲ピン１５の位置関係から、屈曲ピン１５の位置は３ｃｍほど主軸２側に入り込み、一直線になった巻き取り棒４と脱落防止棒１２の総体は架空の円錐に沿う形となり、ケーブルの束が取り出し易くなる。このとき主軸スリーブ９はバネ１０を縮ませながら側面円盤３側に若干移動する。脱落防止棒１２の動きに合わせて連結棒１１と巻き取り棒４が動くさまを図５ａ，ｂ，ｃで順次示してある。【００１８】  このケーブル巻取り装置は３０φのパイプを折り曲げて作った、スタンド１の地表面から５０ｃｍほどの高さの所に、水平に保持された２５φ、長さ３０ｃｍほどの金属製の丸棒を心棒１６として主軸に差し込んであり、心棒を中心にして自由に回転できるようにしてある。巻き取り棒４のどれかの内側にケーブルの端を差し込んで止めるケーブルフック１７を着けて置くと便利である。またこれら回転の動作を安定にするために主軸スリーブにストッパーネジ１８を付けて置くと良い
【実施例２】
【００１９】  ケーブル巻取り装置を電柱に取り付けて使用する他の例を示す。図６は取り付け器具を表しており、電柱の地表から１〜１．５ｍの高さの所に電柱を抱くように取り付け、固定バンド１９を締め付けて固定する。高さ２０ｃｍほど、幅１５ｃｍほどの金具で、電柱に接触する面は、電柱に沿うように湾曲しており、その金具の中央部分に２５φ、長さ３０ｃｍの金属製の丸棒が水平にしっかりと取り付けてあり、その丸棒をケーブル巻取り装置の心棒として使用する
【産業上の利用可能性】
【００２０】  以上説明したように、本考案のケーブル巻取り装置を使用すれば少人数で、簡単に使用済みのケーブル、あるいはホースやロープなども結束できるので、作業効率の向上につながり、肉体的な負担も軽減できる。
【図面の簡単な説明】
【００２１】
【図１】ケーブル巻取り装置の正面図。
【図２】ケーブル巻取り装置の背面図。
【図３】ケーブル巻取り装置の側面図。
【図４】ケーブル巻取り装置の部分斜視図。
【図５】ａ，ｂ，ｃ  脱落防止棒と連結棒と巻き取り棒が連動する様子。
【図６】ケーブル巻取り装置を電柱に取り付ける器具。
【符号の説明】
【００２２】  １  スタンド
２  主軸
３  側面円盤
４  巻き取り棒
５  留め金具
６  固定ピン
７  側面保持棒
８  連結環
９  主軸スリーブ
１０  バネ
１１  連結棒
１２  脱落防止棒
１３  連結ピン
１４  ハンドル
１５  屈曲ピン
１６  心棒
１７  ケーブルフック
１８  ストッパーネジ
１９  固定バンド
【図１】
0003164012.tif 000003
【図２】
0003164012.tif 000004
【図３】
0003164012.tif 000005
【図４】
0003164012.tif 000006
【図５】
0003164012.tif 000007
【図６】
0003164012.tif 000008